(57)【特許請求の範囲】
【請求項１】
丁合した折丁の背部に天側を未接着とした引出し領域を残して接着剤層が塗布され、上記天側から離れた上記折丁の背部に紐状のしおりの基端部が固着され、上記しおりが引出し領域の折丁間又は折丁の切込みから枚葉紙間に挟み込みされて天側を含む三方から離間されるとともに上記背部に上記引出し領域を未接着としたままで表紙が貼着され、上記背部を除く三方が製本時に裁断される化粧断ち代に表紙から裁断されてなることを特徴とする並製本。
【請求項２】
一方の折丁の外側の枚葉紙の背部側の縁面に紐状のしおりの基端部が天側から離れて固着され、上記折丁に丁合される他方の折丁との間に上記しおりが挟み込みされて上記天側を含む三方から離間され、丁合した折丁の背部に天側を未接着とした上記引出し領域が形成されるとともに上記背部に上記引出し領域を未接着としたままで表紙が貼着され、上記背部を除く三方が製本時に裁断される化粧断ち代に表紙から裁断されてなることを特徴とする並製本。
【請求項３】
折丁の外側の枚葉紙の背部側の縁面に沿って天側を未接着とした接着領域が形成され、上記接着領域を介して隣接する折丁が丁合されるとともに、折丁の背部に紐状のしおりの基端部が上記天側から離れて固着され、丁合いされた折丁の背部に上記天側を未接着とした引出し領域を残して接着剤層が塗布されるとともに上記しおりが上記引出し領域の折丁間又は折丁の切り込みから枚葉紙間に挟み込みされて上記天側を含む三方から離間され、上記背部に上記引出し領域を未接着としたままで表紙が貼着され、上記背部を除く三方が製本時に裁断される化粧断ち代に表紙から裁断されてなることを特徴とする並製本。
【請求項４】
折丁の内面の枚葉紙に紐状のしおりの基端部が天側から離れて固着され、上記折丁の上記天側には上記しおりを引出し可能な切込みが設けられ、上記しおりが上記折丁の内面の枚葉紙に挟み込みされて上記天側を含む三方から離間され、丁合した折丁の背部に天側を未接着とした引出し領域を残して接着剤層が塗布されるとともに上記背部に上記引出し領域を未接着としたままで表紙が貼着され、上記背部を除く三方が製本時に裁断される化粧断ち代に表紙から裁断されてなることを特徴とする並製本。
【請求項５】
引出し領域が丁合した複数の折丁の幅に形成されていることを特徴とする請求項１から４のいずれかに記載の並製本。
【請求項６】
引出し領域がしおりを引出すことができる幅狭に折丁の背部に形成され、上記背部と表折との間にしおり遊動空間が小幅に形成されていることを特徴とする請求項１から４のいずれかに記載の並製本。
【請求項７】
複数の折丁が丁合される工程と、複数の折丁の背部に天側を未接着とした引出し領域を残して接着剤層が塗布される工程と、上記天側から離れた折丁の上記背部に紐状のしおりの基端部が固着されると同時に上記しおりが引出し領域の折丁間に挟み込みされて上記天側を含む三方からから離間される工程と、上記背部に上記引出し領域を未接着としたままで表紙が貼着される工程と、上記背部を除く三方が切断刃によって製本時に裁断される化粧断ち代に表紙から切断される工程とからなることを特徴とする並製本の製造方法。
【請求項８】
折丁の天側に切込みが設けられる工程と、折丁の背部に紐状のしおりの基端部が天側から離れて固着されるとともに上記しおりが上記切込みから枚葉紙間に挟み込みされて上記天側を含む三方から離間される工程と、上記折丁を含めて複数の折丁が丁合される工程と、丁合した複数の折丁の背部に上記天側を未接着とした引出し領域を残して接着剤層が塗布される工程と、上記背部に上記引出し領域を未接着としたままで表紙が貼着される工程と、上記背部を除く三方が切断刃によって製本時に裁断される化粧断ち代に表紙から裁断される工程とからなることを特徴とする並製本の製造方法。
【請求項９】
折丁の外側に位置する枚葉紙の背部側の縁面に紐状のしおりの基端部が天側から離れて固着される工程と、上記折丁を含めて複数の折丁が丁合される工程と、上記折丁に丁合される他方の折丁との間に上記しおりが挟み込みされて上記天側を含む三方から離間される工程と、丁合した複数の折丁の背部に上記天側を未接着とした引出し領域を残して接着剤層が塗布される工程と、上記背部に上記引出し領域を未接着としたままで表紙が貼着される工程と、上記背部を除く三方が切断刃によって製本時に裁断される化粧断ち代に表紙から裁断される工程とからなることを特徴とする並製本の製造方法。
【請求項１０】
折丁の外側の枚葉紙の背部側の縁面に沿って天側を未接着とした接着領域が形成される工程と、上記接着領域を介して隣接する折丁が丁合される工程と、複数の折丁の背部に紐状のしおりの基端部が天側から離れて固着されると同時に上記引出し領域の折丁間又は折丁の切込みから上記しおりが枚葉紙間に挟み込みされて上記天側を含む三方から離間される工程と、複数の折丁の上記背部に上記天側を未接着とした引出し領域を残して接着剤層が塗布されるとともに上記背部に上記引出し領域を未接着としたままで表紙が貼着される工程と、上記背部を除く三方が切断刃によって製本時に裁断される化粧断ち代に表紙から裁断される工程とからなることを特徴とする並製本の製造方法。
【請求項１１】
折丁の内面の枚葉紙に紐状のしおりの基端部が天側を含む三方から離れて固着されて挟み込みされる工程と、上記折丁の上記天側に上記しおりを引出し可能な切込みが設けられる工程と、上記折丁を含めて複数の折丁が丁合される工程と、丁合した複数の折丁の背部に上記天側を未接着とした引出し領域を残して接着剤層が塗布される工程と、上記背部に上記引出し領域を未接着としたままで表紙が貼着される工程と、上記背部を除く三方が切断刃によって製本時に裁断される化粧断ち代に表紙から裁断される工程とからなることを特徴とする並製本の製造方法。
【発明の詳細な説明】
【技術分野】
【０００１】
本発明は、表紙と丁合された複数の折丁とを、それらの背部以外の三方を化粧断ちしてなる並製本とその製造方法に関する。
【背景技術】
【０００２】
非特許文献によると、この種の並製本としては、中身を綴じて表紙と接着したうえで、表紙の背部以外の三方を同時に仕上げのために化粧裁断してなるもので、ソフトカバーやペーパーバック等と呼ばれている。並製本としては、中身の折丁の背を削り落して接着剤層を設ける無線とじや、折丁の背を削らずに切り目などを設けて接着剤層を設けるアジロとじや、糸で綴じるかがり綴じ等によって製造されている。並製本には、紐状のしおり(スピン、リボンとも呼ばれる）を付けることが要望されることが多い。
【０００３】
非特許文献によると、並製本に紐状のしおりを付ける場合には、本の対角線より５ｃｍくらい長く断ち、その内２ｃｍを天側に出し、残りを下側に出す。しおりは、しおり挿入機によって本の背部の上端に糊付けされ、しおりは本の中に挟み込みされて裾（先端）が本からはみ出さないようにされる。上製本は中本の化粧断ちが終わり、表紙くるみされる前の段階でしおりが挿入される。ところが、文庫本等の並製本では、しおりの挿入が済んでから表紙くるみ・化粧断ちをするので、しおりの付いた天部側を裁断できない。天部側をアンカットして二方が化粧断ちされるものも提供されている。三方を化粧断ちするためには、紐状のしおりを付けることができず、代用品とした短冊状の紙片をしおりとして挟み込みしていた。
【０００４】
上記問題点に対応するために、紐状のしおりを有する並製本としては特許文献１，２に開示されるものが提供されている。
特許文献１に記載されている並製本は、表紙の天側の内側に小片を部分的に貼着したものを丁合された複数の折丁の背部に貼着するとともに背部以外の三方を裁断し、背部の天側にしおりの一端を差し込み貼着する隙間を作り、その隙間にしおりの一端を貼着したものである。
【０００５】
また、特許文献２に記載されている並製本は、丁合した複数の折丁の背部に糸かがりを行って上記背部にしおりの端部を貼着し、また、しおりの他端部側を、折丁の天と糸かがり部の天側最上部との間に折丁の天側より通すことによって、しおりを丁合された折丁の間に通して折丁と折丁の内側に挟み込み、上記背部に塗布された接着剤を介して表紙を貼着した後、該背部以外の三方を裁断してなるものである。
【０００６】
【非特許文献１】製本用語事典・１９９８年３月１５日・東京都製本工業組合発行
【特許文献１】特許第３６０８３３６号公報
【特許文献２】特許第３６０８３３７号公報
【発明の開示】
【発明が解決しようとする課題】
【０００７】
しかしながら、特許文献１に記載されている並製本は、背部に接着剤を塗布する作業とは別に小片を貼着する作業を必要とし、また、並製本の形態の違いに対応した複数種類の小片を用意しなければならず、作業が煩雑にならざるを得ない。
さらに、小片と表紙との間に生じる僅かな隙間にしおりを差し込まなければならず、機械化が難しい上に、手作業で行う場合にはコストの上昇原因ともなり、また、効率よく製造することができないものである。
【０００８】
一方、特許文献２に記載されている並製本は、しおりを糸かがりした背部に貼着した後、天部側より折丁の間を通して内側に納めるようにしているので、しおりを隣接する折丁と折丁の間を通さなければならないが、折丁と折丁の間を通そうとしたしおりが、必ずしも折丁と折丁の間を通らずに折丁自体に当接し、この場合には、折丁だけでなくしおり自体も損傷してしまうという問題がある。
【０００９】
そこで本発明は、紐状のしおりを有する並製本を低コストで効率よく三方化粧断ちして製造することができ、また、しおりや折丁に損傷を与えることがない並製本とその製造方法の提供を目的としている。
【課題を解決するための手段】
【００１０】
上記目的を達成するための本発明の構成は、次のとおりである。
本発明の並製本は、丁合した折丁の背部に天側を未接着とした引出し領域を残して接着剤層が塗布され、上記天側から離れた上記折丁の背部に紐状のしおりの基端部が固着され、上記しおりが引出し領域の折丁間又は折丁の切込みから枚葉紙間に挟み込みされて天側を含む三方から離間されるとともに上記背部に上記引出し領域を未接着としたままで表紙が貼着され、上記背部を除く三方が製本時に裁断される化粧断ち代に表紙から裁断されてなることを特徴とする。
ここで、上記並製本としては、無線とじ、アジロとじ、かがり綴じなどが対象とされ、これらの背部に天側を未接着とした引出し領域とそれ以外を接着した接着剤層とが構成される。紐状のしおりは、未接着の引出し領域を利用して背部から折丁間に挟み込みされるか、又は未接着の引出し領域を利用して背部から枚葉紙間に挟み込みされ、断裁のために天側から離間される。
本発明の並製本は、請求項７又は請求項８記載の並製本の製造方法により製造される。
【００１１】
本発明の並製本は、一方の折丁の外側の枚葉紙の背部側の縁面に紐状のしおりの基端部が天側から離れて固着され、上記折丁に丁合される他方の折丁との間に上記しおりが挟み込みされて上記天側を含む三方から離間され、丁合した折丁の背部に天側を未接着とした上記引出し領域が形成されるとともに上記背部に上記引出し領域を未接着としたままで表紙が貼着され、上記背部を除く三方が製本時に裁断される化粧断ち代に表紙から裁断されてなることを特徴とする。
ここで、上記記載の並製本としては、折丁の背部ではなくて背部に近い枚葉紙の縁面であって、天側から離れた部位を選択して紐状のしおりの基端部を固着する。本発明の並製本は、請求項９記載の並製本の製造方法により製造される。
【００１２】
本発明の並製本は、折丁の外側の枚葉紙の背部側の縁面に沿って天側を未接着とした接着領域が形成され、上記接着領域を介して隣接する折丁が丁合されるとともに、折丁の背部に紐状のしおりの基端部が上記天側から離れて固着され、丁合された折丁の背部に上記天側を未接着とした引出し領域を残して接着剤層が塗布されるとともに上記しおりが上記引出し領域の折丁間又は折丁の切り込みから枚葉紙間に挟み込みされて上記天側を含む三方から離間され、上記背部に上記引出し領域を未接着としたままで表紙が貼着され、上記背部を除く三方が製本時に裁断される化粧断ち代に表紙から裁断されてなることを特徴とする。
ここで、上記記載の並製本としては、折丁の背部に近い枚葉紙の縁面であって天側を未接着とした接着領域によって丁合する。本発明の並製本は、請求項１０記載の並製本の製造方法により製造される。
【００１３】
本発明の並製本は、折丁の内面の枚葉紙に紐状のしおりの基端部が天側から離れて固着され、上記折丁の上記天側には上記しおりを引出し可能な切込みが設けられ、上記しおりが上記折丁の内面の枚葉紙に挟み込みされて上記天側を含む三方から離間され、丁合した折丁の背部に天側を未接着とした引出し領域を残して接着剤層が塗布されるとともに上記背部に上記引出し領域を未接着としたままで表紙が貼着され、上記背部を除く三方が製本時に裁断される化粧断ち代に表紙から裁断されてなることを特徴とする。
ここで、上記記載の並製本としては、折丁の内面を利用して紐状のしおりの基端部を固着する。本発明の並製本は、請求項１１記載の並製本の製造方法により製造される。
【００１４】
本発明の並製本は、引出し領域が丁合した複数の折丁の幅に形成されていることを特徴とする。
【００１５】
本発明の並製本は、引出し領域がしおりを引出すことができる幅狭に折丁の背部に形成され、上記背部と表折との間にしおり遊動空間が小幅に形成されていることを特徴とする。
【００１６】
複数の折丁が丁合される工程と、複数の折丁の背部に天側を未接着とした引出し領域を残して接着剤層が塗布される工程と、上記天側から離れた折丁の上記背部に紐状のしおりの基端部が固着されると同時に上記しおりが引出し領域の折丁間に挟み込みされて上記天側を含む三方から離間される工程と、上記背部に上記引出し領域を未接着としたままで表紙が貼着される工程と、上記背部を除く三方が切断刃によって製本時に裁断される化粧断ち代に表紙から切断される工程とからなることを特徴とする。
本発明は、請求項１記載の並製本を製造する方法に係わるものである。
【００１７】
本発明の並製本の製造方法は、折丁の天側に切込みが設けられる工程と、折丁の背部に紐状のしおりの基端部が天側から離れて固着されるとともに上記しおりが上記切込みから枚葉紙間に挟み込みされて上記天側を含む三方から離間される工程と、上記折丁を含めて複数の折丁が丁合される工程と、丁合した複数の折丁の背部に上記天側を未接着とした引出し領域を残して接着剤層が塗布される工程と、上記背部に上記引出し領域を未接着としたままで表紙が貼着される工程と、上記背部を除く三方が切断刃によって製本時に裁断される化粧断ち代に表紙から裁断される工程とからなることを特徴とする。
本発明は、請求項１記載中のしおりが折丁の切込みから枚葉紙間に挟み込みされる構成要件の並製本を製造する方法に係わるものである。
【００１８】
本発明の並製本の製造方法は、折丁の外側に位置する枚葉紙の背部側の縁面に紐状のしおりの基端部が天側から離れて固着される工程と、上記折丁を含めて複数の折丁が丁合される工程と、上記折丁に丁合される他方の折丁との間に上記しおりが挟み込みされて上記天側を含む三方から離間される工程と、丁合した複数の折丁の背部に上記天側を未接着とした引出し領域を残して接着剤層が塗布される工程と、上記背部に上記引出し領域を未接着としたままで表紙が貼着される工程と、上記背部を除く三方が切断刃によって製本時に裁断される化粧断ち代に表紙から裁断される工程とからなることを特徴とする。
本発明は、請求項２記載の並製本を製造する方法に係わるものである。
【００１９】
折丁の外側の枚葉紙の背部側の縁面に沿って天側を未接着とした接着領域が形成される工程と、上記接着領域を介して隣接する折丁が丁合される工程と、複数の折丁の背部に紐状のしおりの基端部が天側から離れて固着されると同時に上記引出し領域の折丁間又は折丁の切込みから上記しおりが枚葉紙間に挟み込みされて上記天側を含む三方から離間される工程と、複数の折丁の上記背部に上記天側を未接着とした引出し領域を残して接着剤層が塗布されるとともに上記背部に上記引出し領域を未接着としたままで表紙が貼着される工程と、上記背部を除く三方が切断刃によって製本時に裁断される化粧断ち代に表紙から裁断される工程とからなることを特徴とする。
本発明は、請求項３記載の並製本を製造する方法に係わるものである。
【００２０】
本発明の並製本の製造方法は、折丁の内面の枚葉紙に紐状のしおりの基端部が天側を含む三方から離れて固着されて挟み込みされる工程と、上記折丁の上記天側に上記しおりを引出し可能な切込みが設けられる工程と、上記折丁を含めて複数の折丁が丁合される工程と、丁合した複数の折丁の背部に上記天側を未接着とした引出し領域を残して接着剤層が塗布される工程と、上記背部に上記引出し領域を未接着としたままで表紙が貼着される工程と、上記背部を除く三方が切断刃によって製本時に裁断される化粧断ち代に表紙から裁断される工程とからなることを特徴とする。
本発明は、請求項４記載の並製本を製造する方法に係わるものである。
【発明の効果】
【００２１】
本発明によれば、折丁の背部の天側を未接着とした引出し領域を設けることによって紐状のしおりを天側から離間して折丁間又は折丁の切込みから枚葉紙間に挟み込みしておくことができ、三方を化粧断ちした紐状のしおり付きの並製本を提供することができる。特に、紐状のしおりを断裁位置から内側に逃がすという簡単な構造で紐状のしおりの損傷を阻止することができ、低コストで効率よく製本することができる。
【００２２】
また、本発明によれば、引出し領域を未接着としたままで表紙を貼着したので、紐状のしおりを天側の引出し領域と表紙との空隙に沿って自由に移動させることができ、紐状のしおりの使い勝手を向上させることができる。その際に、三方断裁後に残る未接着の引出し領域に天側からしおりを挟み込みでき、特に、無線とじや天側からの切込みを有する綴りに対して天側からしおりが出ないように挟み込みできる。
さらに、引出し領域の外側で三方断裁されるので、天側の未接着領域を可能な限り少なくすることができる。
【００２３】
また、本発明によれば、折丁の背部に接着剤層を形成する前に、折丁の背部側の縁面に紐状のしおりを固着するので、折丁を丁合いするだけで、紐状のしおりを天側から離れて挟み込みすることができる。しおりの使用に際しては、引出し領域から表紙との天側の空隙に引き出した後に使用することができる。
【００２４】
また、本発明によれば、枚葉紙の背部側の縁面の接着領域を介して隣接する折丁を強固に接着したうえで、折丁の背部に紐状のしおりの基端部を天側から離れて固着しておくことができる。特に、背部内縁を固着する場合であっても、天側にある未接着領域を紐状のしおりの出し入れや引込みの逃がし通路にすることができる。
【００２５】
また、本発明によれば、折丁の内面の紐状のしおりをそのまま挟み込みすることができ、挟み込み状態で三方断ちすることができる。また、折丁の折り目の天側に切込みを設けることができ、切込みを利用して紐状のしおりを引出し領域に出し入れすることができる。
【００２６】
また、本発明によれば、引出し領域が複数の折丁の幅に形成されているので、紐状のしおりを折丁の幅方向で自在に移動させることができ、いずれの枚葉紙間であっても容易に挟み込むことができる。
【００２７】
また、本発明によれば、引出し領域がしおりを中心とする幅狭に形成されているので、当該引出し領域が形成されていることを外観上目立たなくすることができる。
【００２８】
本発明の製造方法の発明によれば、引出し領域の折丁から紐状のしおりを挟み込みして天側から離すことにより、既存の製造工程のままで紐状のしおり付きの並製本を三方断ちによって製造することができる。
【００２９】
また、本発明に製造方法の発明によれば、引出し領域の切り込みから紐状のしおりを挟み込みして天側から離すことにより、既存の製造工程のままで紐状のしおり付きの並製本を三方断ちによって製造することができる。
【００３０】
また、本発明の製造方法の発明によれば、折丁の背部側の縁面に天側から離れて紐状のしおりを固着しているので、丁合に伴ってしおりが枚葉紙間に天側から離れて挟み込みされることとなるので、紐状のしおり付きの並製本を三方断ちによって製造する際に丁合によってしおりの挟み込みを自動的に行うことができる。
【００３１】
また、本発明の製造方法の発明によれば、枚葉紙の背部側の接着領域によって折丁の背部側内面を接着する場合に、天側の未接着領域と引出し領域を介して紐状のしおりを天側から離して枚葉紙に挟み込みしてしおり付並製本を三方断ちすることができる。
【００３２】
また、本発明の製造方法の発明によれば、折丁の天側から離れて紐状のしおりを固着したので、丁合に伴ってしおりが枚葉紙間に天側から離れて挟み込みされることとなるので、紐状のしおり付きの並製本を三方断ちによって製造する際に丁合によってしおりの挟み込みを自動的に行うことができる。
【００３３】
また、本発明の製造方法の発明によれば、しおりを有する並製本の三方断ちを自動化し易く、既存工程を活用して低コストで効率のよい製造を行うことができる。
【発明を実施するための最良の形態】
【００３４】
以下に、本発明を実施するための最良の形態について、図面を参照して説明する。図１は本発明の第１の実施形態に係る並製本の一部を破断して示す正面図、図２は図１に包囲線Ｉで示す部分の拡大断面図、図３はその部分を一部切欠した斜視図、図４は本発明の第１の実施形態に係る並製本の製造工程図、図５は接着剤層形成で用いられるカム体の正面図である。
【００３５】
第１の実施形態に係る並製本１は、図２〜図３に示すように、丁合した複数の折丁２Ａ〜２Ｎの背部２１に接着剤層１６を形成し、この接着剤層１６の天側２２を未接着として引出し領域１０を形成し、上記天側２２から離れた上記折丁２Ａ〜２Ｎの背部２１に紐状のしおり３の基端部３０を固着する。そして、上記しおり３を引出し領域１０の折丁２の間に挟み込んで天側２２から離す。この状態において、上記背部２１に上記引出し領域１０を未接着にして表紙４を貼着し、次に上記背部２１を除く三方２２，２４，２５を表紙４と共に裁断してなる。
【００３６】
上記引出し領域１０は、図２に示すように、天地における深さ１３が裁断時にしおり３が切断されない深さであって、天側２２での裁断代１１としおり３の遊動代１２とを合わせた深さとなっている。そして上記引出し領域１０の背部４０と折丁２間の厚さは、少なくともしおり３を収納し、左右に移動可能な厚さを必要とする。上記裁断代１１は、製本時に裁断される部分であって、その深さは１回又は２回程度の裁断に応じて設定される。上記遊動代１２は三方裁断後に天側２２においてしおり３が各頁に自由に移動可能な束寸法があればよい。そして、この遊動代１２は、しおり３の挟み込みを考慮して天側２２から少なくともしおり幅の深さを必要とする。
その結果、しおり３は引出し領域１０を遊動して折丁２・・の間に挟み込まれるか、あるいは切込み２６から枚葉紙２０・・の間に挟み込まれ、天側２２から表出しない状態となる。このため、裁断時にしおり３を切断することなく裁断代１１を裁断することができる。上記深さ１３としては、裁断前には１０ｍｍ程度に設定することができ、並製本寸法に応じて長短設定可能となる。この場合には、引出し領域１０は、丁合した折丁２Ａ〜２Ｎの幅１４に形成されている。また、しおり３は、裁断後には引き出し領域１０を自由に移動させることができる。
【００３７】
上記引出し領域１０に基づいて、表紙４の背部４０の天側との間で未接着となるしおり遊動空間４１が形成されている。上記しおり遊動空間４１は、接着剤層１６の形成厚さに従って空間の厚みが変化するが、当該接着剤層１６の厚みを増減調整することにより、しおり３を引き出しやすい厚みとすることができる。また、接着剤層１６を一層又は複数層に形成することにより、例えば材質や厚みの異なる他の種類のしおり３を採用したときにも、しおり３の折丁２の背部２１への引き出しや、製本後におけるしおり３の表紙寄りの枚葉紙２０への挟み込みにも容易に対応することができる。
なお、しおり遊動空間４１は、引出し領域１０からしおり３を引き出す際に、引き出しを容易に行うために有効である。
【００３８】
上記接着剤層１６は、図２に示すように二層１６ａ,１６ｂの構造にして各種綴りに対応する。層１６ａは折丁２Ａ〜２Ｎの背部２１の凹んだ隙間に塗布され、層１６ｂは層１６ａの上に平滑面を形成するために塗布される。なお、単一の接着剤からなるものとしてもよい。
【００３９】
上記しおり３としては、紐状に延びる布製のものが用いられ、例えば並製本の対角線よりも５０ｍｍほど長くし、また、幅３ｍｍほどにしたものが挙げられる。上記しおり３の基端部３０は、図２及び図３に示すように、上記背部２１への約２０ｍｍ程度の接着代を有し、引出し領域１０の近傍にある接着剤層１６の上端に固着されている。図示しないが、引出し領域１０の下部で接着剤層１６に近接する部位にしおり３の基端部３０を固着してもよい。なお、図２に示すように、しおり３の基端部３０を、接着剤層１６の接着力を利用して接着してもよく、この場合には別にしおり３を接着するための接着剤を必要としない。
そして、上記しおり３は、天側２２の折丁２,２の間から挟み込みされ、裾部３１も三方から内側に位置して挟み込みされている。換言すると、しおり３は、天側２２を含めた三方２４，２５から離れた内方部位であって、三方化粧断ち部位よりも内方に挟み込みされ、誤って切断されないように挟み込みされる。
【００４０】
次に、図４及び図５に基づいて並製本１の製造工程と装置の概要を説明する。
【００４１】
接着剤の塗布は、搬送路Ｔに沿って配列された第一，第二の塗布用ローラ１００，１０１、第一，第二の掻落し部材１０２，１０３、駆動部１０４，１０５、カム体１０６、及び駆動制御部１０７を有する接着剤層形成部Ｃと、接着剤供給部Ｄとを有して構成されている。
【００４２】
第一，第二の塗布用ローラ１００，１０１は、搬送路Ｔを順次搬送されてくる丁合いした折丁２Ａ〜２Ｎの背部２１に接着剤層１６を形成するためのものである。第一，第二の掻落し部材１０２，１０３は、上記した第一，第二の塗布用ローラ１００，１０１の外周面に供給されている接着剤を掻き落すためのものであり、リンク機構１０８，１０９及びカム体１０６によって、接着剤掻落し位置（ｉ）と、接着剤層形成位置（ｉｉ）との間で移動自在に支持されている。
【００４３】
上記カム体１０６は、上記したリンク機構１０８の他端部を外周面に当接したカム板１１０と、リンク機構１０９の他端部を外周面に当接したカム板１１１を同軸的にかつ互いに相対変位可能に支持したものである。
カム板１１０は、前述した引出し領域１０に裁断代１１を加えた長さに対応した角度範囲にわたる凹部１１０ａが外周面１１０ｂの一部に形成されており、リンク機構１０８の他端部が、当該凹部１１０ａに当接したときに、第一の掻落し部材１０２が、接着剤掻落し位置（ｉ）に移動され、また、凹部１１１ａ以外の部分に当接しているときには接着剤層形成位置（ｉｉ）に移動されるようになっている。
また、カム板１１１は、引出し領域１０に裁断代１１を加えた長さに対応した角度範囲にわたる凹部１１１ａが外周面１１１ｂの一部に形成されており、リンク機構１０９の他端部が当該凹部１１１ａに当接したときに、第二の掻落し部材１０３が、接着剤掻落し位置（ｉ）に移動され、また、凹部１１１ａ以外の部分に当接しているときには接着剤層形成位置（ｉｉ）に移動されるようになっている。
【００４４】
駆動制御部１０７は、しおり３を天側２２に引き出すための引出し領域１０に裁断代１１を加えた長さを残し、上記接着剤層１６を背部２１に形成するように、カム体１０６、第一，第二の塗布用ローラ１００，１０１を回転制御する機能を有している。
【００４５】
次に、上述した接着剤層形成装置Ｂを用いた並製本１の製造方法について、主に図４を参照して説明する。
（ア）に示すように、背部２１を除く三方に裁断代１１を有する折丁２Ａ〜２Ｎを互いに所定の組み合わせにして丁合いし、上記折丁２Ａ〜２Ｎを丁合いした半完成の並製本１を搬送路Ｔに沿い、背部２１を下向きにして一定の間隔で搬送する。
【００４６】
（イ）に示すように、搬送路Ｔを搬送されてきた並製本１が、第一の塗布用ローラ１００に差し掛かると、当該第一の塗布用ローラ１００が所定のタイミングで、並製本１の搬送に同期して回転され、これにより、接着剤層１６aが折丁２Ａ〜２Ｎの背部２１の天側２２に、引出し領域１０を残して塗布される。
【００４７】
（ウ）に示すように、接着剤が塗布された並製本１が、第二の塗布用ローラ１０１に差し掛かると、第二の塗布用ローラ１０１が所定のタイミングで、並製本１の搬送に同期して回転され、接着剤層１６ａの表面に引出し領域１０を残して所要厚みにして塗布し、接着剤層１６ｂが形成される。これにより、折丁２の背部２１には、接着剤層１６が二層形成される。
【００４８】
（エ）に示すように、図示しないしおり挿入機を用いて引出し領域１０の近傍の接着剤層１６にしおり３の基端部３０を固着して、引出し領域１０の折丁２，２の間から枚葉紙間にしおり３を挟み込む。すなわち、しおり３の基端部３０の２０ｍｍ程度の長さ部分を、折丁２のうち、中央部に丁合される折丁２の背部２１の接着剤層１６に接着する。このように、折丁２の背部２１に対向する接着剤層１６に固着することにより、平面視においてしおり３が折丁２の中央部分に位置することになって美観上好ましい。
【００４９】
（オ）に示すように、背部２１に上記引出し領域１０を未接着としたままで表紙４を貼着する。これにより、しおり３の基端部３０は、接着剤層１６と背部４０との間に挟まれてしっかりと接着される。その際に、しおり３は天側２２から離されており、裁断代１１よりも内方に位置している。また、引出し領域１０と表紙４の背部４０との間は、未接着となっている。
【００５０】
（カ）に示すように、表紙４を貼着した並製本１を、折丁２の背部２１を除く三方２２，２４，２５に形成されている裁断代１１を表紙４から裁断する。すなわち、実線（カットライン）に沿って裁断する。このときにしおり３は、基端部３０の近傍から裾部３１にかけて上記折丁内であって、裁断代１１の内方にある引出し領域１０に基端部側が挟み込まれているので、裁断するときに誤って切断されることがない。
また、引出し領域１０と表紙４の背部４０との間には、接着剤厚みによる空隙で接着剤層１６を有していないしおり遊動空間４１が形成される。
以上の各ステップを経て、しおり３を有する並製本１が完成する。
【００５１】
上記した並製本１に挟み込みされているしおり３を折丁２の背部の外方に引き出す動作は、次のようにして行う。
しおり３が挟み込まれている折丁２，２の頁を開き、しおり３の裾部３１を摘んで背部２１の外方に引き出す。図３に示すように、上記の引出し動作によって、しおり３の基端部３０の近傍から裾部３１が、引出し領域１０から外方に抜け出す。換言すると、しおり３の基端部３０の近傍がしおり遊動空間４１に位置するようになる。
【００５２】
この状態においては、しおり３の基端部３０の近傍から裾部３１までを、いずれの折丁間又は切込みに無理なく挟み込むことができるようになる。また、引出し領域１０を複数の折丁の幅１４に形成しているので、しおり３を折丁２の幅方向で自在に移動させることができ、いずれの枚葉紙間であっても無理なく挟み込むことができる。
【００５３】
図６は、本発明の第２の実施形態に係る並製本の一部拡大斜視図、図７は第２の実施形態に係る並製本の製造工程要部図である。
【００５４】
図６に示すように、折丁２の天側２２から背部２１に引出し領域１０の範囲に切込み２３を設け、切り込み２３の下端の背部２１にしおり３の基端部３０を固着する。しおり３は、切込み２３から枚葉紙間２０，２０に挟み込んで天側２２から離間する。
【００５５】
製造工程は、第１の実施形態を示す図４の（エ）の工程を先に配置することで実施される。すなわち、図７の（ア）に示すように、折丁２の天側２２に図示しないカッター又はミシン目等で切込み２３を形成する。
次に、（イ）に示すように、図示しないしおり挿入機を用いて引出し領域１０の近傍にしおり３の基端部３０を固着して、引出し領域１０の切込み２３の間から枚葉紙間２０，２０にしおり３を挟み込む。しおり３を挟み込みした折丁２を丁合し、図４の製造工程により製造される。しおり３を挟み込んでいる折丁２は中央部位に丁合されることが望ましい。なお、図４（エ）のしおり挿入工程は省略される。
【００５６】
第２の実施形態の製造工程によれば、しおり挿入機を製造工程に配置する必要がなく、しおりを挿入しない従来例の並製本の製造工程と同様に製造することができる。
【００５７】
図８は第３の実施形態に係る並製本の折丁を示す説明図、図９は同折丁を丁合する工程を示す説明図である。なお、第１の実施形態と同等のものは、同一の符号を付して説明を省略する。
【００５８】
第３の実施形態に係る並製本１は、一方の折丁２の外側の枚葉紙２０の背部側の縁面２０ａに紐状のしおり３の基端部３０が天側２２から離れて固着され、上記折丁２に丁合いされる他方の折丁２との間に上記しおり３が挟み込みされて天側２２から離間され、丁合いした複数の折丁２Ａ〜２Ｎの背部２１に天側２２を未接着とした引出し領域１０が形成されることを特徴としている。
【００５９】
上記しおり３は、枚葉紙２０の背部側の縁面２０ａに天地にわたる細幅の接着領域１７を設け、天側２２を未接着としたうえで、接着領域１７に基端部３０を接着することでも実施される。この場合には、天側２２に引出し領域１０が配置された状態で、接着領域１７により枚葉紙２０，２０が強固に接着されて丁合される。
【００６０】
図９に示すように、しおり３は縁面２０ａに基端部３０を固着された状態で、天側２２から離れている。その結果、しおり３を縁面２０ａに固着した折丁２と他の折丁２とを丁合する工程を経た後、他の工程を経て、しおり３を有する並製本１が完成する。
【００６１】
なお、図示しないが、上記しおり３は、天側２２を未接着とした引出し領域１０の下部近傍に基端部３０を接着することで縁面２０ａに固着されて実施可能となる。この場合には、上記した接着剤領域１７を設ける必要がなく、基端部３０を略同位置に固着するのみで足りる。
【００６２】
図１０は第４の実施形態に係る並製本の要部拡大斜視図、図１１は製造工程の要部を示す説明図である。
なお、第１または第２の実施形態と同等のものは、同一の符号を付して説明を省略する。
【００６３】
第４の実施形態に係る並製本１は、折丁２の外側の枚葉紙２０の背部側の縁面２０ａに天地に沿って細幅の接着領域１７が形成され、その接着領域１７，１７を介して隣接する折丁２・・が接着されているとともに、一部の折丁２の背部２１にしおり３の基端部３０が天側２２から離れて固着され、折丁間又は切込み間に上記しおり３が挟み込みされて天側２２から離間され、丁合いされた複数の折丁２Ａ〜２Ｎの背部２１に天側２２を未接着とした引出し領域１０を残して接着剤層１６が塗布されるとともに上記背部２１に上記引出し領域１０を未接着としたままで表紙４が貼着され、上記背部２１を除く三方が表紙４から裁断されてなることを特徴としている。
【００６４】
上記接着領域１７は、図８に示す接着領域１７と同様に形成されるが、しおり３の基端部３０が折丁２の背部２１の引出し領域１０の近傍の接着剤層１６に設けられるものである。
【００６５】
第４の実施形態に係る並製本１の製造方法を図１１に基づいて説明する。
（ア）に示すように、束中央に位置する複数の折丁２Ｈ〜２Ｉの外側の枚葉紙２０，２０の背部側の縁面２０ａ，２０ａに、接着領域１７，１７を形成して、折丁２Ｈ，２Ｉを他の折丁よりも先に部分的に丁合いする。この場合、丁合した一部の折丁２Ｈ，２Ｉの厚みが確保されると、予めしおり３の固着を比較的容易に行えることとなる。換言すると、所望厚み(例えば４〜５（ｍｍ）以上）となる数の一部の折丁を丁合いするとよい。
【００６６】
（イ）に示すように、一部の折丁２Ｈ，２Ｉの背部２１にしおり３の基端部３０を天側２２から離れて固着するとともに、折丁２Ｈ，２Ｉに上記しおり３が挟み込みされて天側２２から離間される。その後に、他の残りの折丁２Ａ〜２Ｎを、先に丁合いされている折丁２Ｈ，２Ｉに丁合いする。なお、他の工程を経て、しおり３を有する並製本１が完成する。
【００６７】
図１２は第５の実施形態に係る並製本の折丁の要部拡大斜視図、図１３は同並製本の製造工程を示す説明図である。
なお、製造工程は、第１の実施形態を示す図４の（エ）の工程を先に配置することで実施される。
【００６８】
第５の実施形態に係る並製本１は、折丁２の内面の枚葉紙２０に紐状のしおり３の基端部３０が天側２２から離れて固着され、上記折丁２の天側２２には上記しおり３を引出し可能な切込み２３が設けられ、上記しおり３が上記折丁２の内面の枚葉紙２０に挟み込みされて天側２２から離間され、丁合いした複数の折丁２・・の背部２１に天側２２を未接着とした引出し領域１０を残して接着剤層１６が塗布されるとともに上記背部２１に上記引出し領域１０を未接着としたままで表紙４が貼着され、上記背部２１を除く三方が表紙４から裁断されてなることを特徴とする。
【００６９】
図１３に示すように、切込み２３は折丁２の背となる折畳み部分をカッター又はミシン目により形成され、引出し領域１０の深さ１３と略同一深さに形成される。しおり３は、基端部３０が切込み２３の終端に位置する折畳み部分の内面に固着され、天側２２から離れた内面にそのまま挟み込みされる。
【００７０】
第５の実施形態に係る並製本１の製造方法を図１３に基づいて説明する。
(ア）に示すように、折丁２の内面を綴じると、しおり３が天側２２から離れて挟み込みされることとなる。天側２２においては、切込み２３を有する引出し領域１０が形成されている。
(イ）に示すように、他の折丁２・・としおり３を挟み込みしてなる折丁２とを丁合すると、しおり３を有する並製本１が三方断裁されて製本される。
【００７１】
使用に際しては、枚葉紙２０の内面からしおり３を引き出し、切込み２３を通過させてしおり遊動空間４１にしおり３の基端部側を位置させ、必要部位に挟み込み可能となる。
【００７２】
図１４は、第６の実施形態に係る並製本１を示す斜視図である。
図１４に示す並製本１は、複数の折丁２Ａ〜２Ｎの背部２１に天側２２を残してかがり糸５で綴じ合わせた糸かがり綴じ構造のもので、天側２２にはしおり３を引き出すための引出し領域１０が設けられている。かがり綴じ部分には接着剤層１６を設け、この接着剤層１６の引出し領域１０の近傍にしおり３の基端部３０が固着され、しおり３が引出し領域１０を通って枚葉紙２０の内面に挟み込みされている。
【００７３】
第６の実施形態においては、他の実施形態と同様に製造される。
【００７４】
図１５は第７の実施形態に係る並製本の要部拡大斜視図である。
引出し領域１５は、折丁２・・の背部２１の外方にしおり３を引き出すことができる狭幅に形成してもよい。
【００７５】
引出し領域１５は、しおり３の幅よりもやや広い値に形成されている。このような引出し領域１５であれば、折丁２の背部２１と表紙４の背部４０との間に形成されるしおり遊動空間４１の幅を小さくでき、折丁２の背部２１と表紙４との接着強度を天側２２においても高められる。
【００７６】
上述した各実施形態においては、いずれも１本のしおり３を引出し領域１０の近傍に固着した例について説明しているが、２本以上のしおり、換言すると複数本のしおりを各実施形態において説明したようにして、それぞれ固着した構成にしてもよい。
【００７７】
上述した第１〜第７の実施形態は必要に応じて組み合わせて実施可能である。
【図面の簡単な説明】
【００７８】
【図１】本発明の第１の実施形態に係る並製本の折丁を示す正面図である。
【図２】図１に包囲線Ｉで示す部分の拡大断面図である。
【図３】同上の包囲線Ｉで示す部分の拡大斜視図である。
【図４】第１の実施形態に係る製本工程を示す説明図である。
【図５】接着剤層形成で用いられるカム体の正面図である。
【図６】本発明の第２の実施形態に係る並製本の一部拡大斜視図である。
【図７】第２の実施形態に係る並製本の製造工程要部図である。
【図８】本発明の第３の実施形態に係る並製本の折丁を示す説明図である。
【図９】同折丁を丁合する工程を示す説明図である。
【図１０】第４の実施形態に係る並製本の要部拡大斜視図である。
【図１１】同製造工程を示す要部説明図である。
【図１２】第５の実施形態に係る並製本の要部拡大斜視図である。
【図１３】同製造工程を示す要部説明図である。
【図１４】第６の実施形態に係る並製本を示す斜視図である。
【図１５】第７の実施形態に係る並製本の要部拡大斜視図である。
【符号の説明】
【００７９】
１              並製本
１０，１５      引出し領域
１１            裁断代
１２            遊動代
１３            深さ
１４            幅
１６            接着剤層
１７            接着領域
２              折丁
２０            枚葉紙
２０ａ          縁面
２１            背部
２２            天側
２３            切込み
３              しおり
３０            基端部
３１            裾部
４              表紙
４０            背部
４１            しおり遊動空間
１００，１０１  塗布ローラ
１０２，１０３  掻き落し部材
１０４，１０５  駆動部
１０６          カム体
１０７          駆動制御部
１０８，１０９  リンク機構
１１０          カム板
５              かがり糸
【要約】
【課題】しおりを有する並製本を低コストで効率よく製造することができ、また、しおりや折丁に損傷を与えることがないようにする。
【解決手段】本発明は、丁合いした複数の折丁２Ａ〜２Ｎの背部２１に天側２２を未接着とした引出し領域１０を残して接着剤層１６が塗布され、上記引出し領域１０の近傍の接着剤層１６にしおり３の基端部３０が固着され、上記しおり３が引出し領域１０の折丁間又は折丁の切込み２３から枚葉紙間に挟み込みされて天側２２から離間されるとともに上記背部２１に上記引出し領域１０を未接着としたままで表紙４が貼着され、上記背部２１を除く三方が表紙４から裁断されてなることを特徴としている。
【選択図】図１【図１】
0004346671.tif 000002
【図２】
0004346671.tif 000003
【図３】
0004346671.tif 000004
【図４】
0004346671.tif 000005
【図５】
0004346671.tif 000006
【図６】
0004346671.tif 000007
【図７】
0004346671.tif 000008
【図８】
0004346671.tif 000009
【図９】
0004346671.tif 000010
【図１０】
0004346671.tif 000011
【図１１】
0004346671.tif 000012
【図１２】
0004346671.tif 000013
【図１３】
0004346671.tif 000014
【図１４】
0004346671.tif 000015
【図１５】
0004346671.tif 000016